(57)【要約】【課題】各種の素材に対して適用可能であって、しかも特殊な装置を用いることなく、安価に実施可能な方法によって、均質で良好な多孔質皮膜を形成できる方法を提供する。【解決手段】疎水性基を有する水溶性第４級アンモニウム化合物からなる多孔質めっき皮膜形成用の電気めっき浴用添加剤、及び該添加剤を含む電気めっき浴中において、電気めっき処理を行うことを特徴とする多孔質めっき皮膜の形成方法。【選択図】図１
2010121194.tif 000002
【特許請求の範囲】
【請求項１】
疎水性基を有する水溶性第４級アンモニウム化合物からなる多孔質めっき皮膜形成用の電気めっき浴用添加剤。
【請求項２】
疎水性基を有する水溶性第４級アンモニウム化合物が、下記一般式
【化１】
2010121194.tif 000005
（式中、Ｒ１〜Ｒ４は、同一又は異なって、水素原子、アルキル基、アリール基又はアラルキル基であり、Ｘ−は陰イオンである。また、Ｒ１〜Ｒ４の内の２個又は３個が結合して窒素原子と共に複素環を形成してもよい。但し、Ｒ１〜Ｒ４の少なくとも一個は、炭素数６以上のアルキル基、アリール基又はアラルキル基である。）で表される化合物である請求項１に記載の電気めっき浴用添加剤。
【請求項３】
請求項１又は２に記載の添加剤を含む電気めっき浴中において、電気めっき処理を行うことを特徴とする多孔質めっき皮膜の形成方法。
【請求項４】
請求項３の方法で形成された多孔質めっき皮膜を有する物品。
【発明の詳細な説明】
【技術分野】
【０００１】
本発明は、多孔質めっき皮膜形成用添加剤及び多孔質めっき皮膜の形成方法に関する。
【背景技術】
【０００２】
金属多孔質体は、比表面積の大きさ、優れた物質保持性などから機能性材料として利用価値が高く、その製造法については多くの報告がなされている。
【０００３】
例えば、金属多孔質体の製造法としては、微粒金属を焼結させて作製する方法、多孔質樹脂を導電化したのち電解めっきする方法などが一般的な方法である。
【０００４】
しかしながら、これらの方法は何れも特殊な設備を必要とし、得られる金属多孔質体の形態も制限される。
【０００５】
また、その他の金属多孔質皮膜の形成方法として、イオン移動度の高い陽イオンと陰イオンとを組み合わせた電解質からなる添加剤を添加した電解液を用いて金属を電着させる方法（特許文献１参照）、アセチレン基含有化合物を含む無電解めっき液を用いて、無電解めっき法によって金属銅皮膜を形成する方法（特許文献２参照）等も報告されている。
【特許文献１】特開平６−６５７７９号公報
【特許文献２】特開平１０−２３７６６４号公報
【発明の開示】
【発明が解決しようとする課題】
【０００６】
本発明は、上記した従来技術の現状に鑑みてなされたものであり、その主な目的は、各種の素材に対して適用可能であって、しかも特殊な装置を用いることなく、安価に実施可能な方法によって、均質で良好な多孔質皮膜を形成できる方法を提供することである。
【課題を解決するための手段】
【０００７】
本発明者は、上記した目的を達成すべく鋭意研究を重ねてきた。その結果、電気めっき法を用いて導電性基材にめっき皮膜を形成する際に、めっき浴中に疎水性基を有する水溶性第４級アンモニウム化合物を添加することによって、均質で良好な多孔質めっき皮膜を容易に形成できることを見出し、ここに本発明を完成するに至った。
【０００８】
即ち、本発明は、下記の多孔質めっき皮膜形成用添加剤及び多孔質めっき皮膜の形成方法を提供するものである。
１．  疎水性基を有する水溶性第４級アンモニウム化合物からなる多孔質めっき皮膜形成用の電気めっき浴用添加剤。
２．  疎水性基を有する水溶性第４級アンモニウム化合物が、下記一般式
【０００９】
【化１】
2010121194.tif 000003
【００１０】
（式中、Ｒ１〜Ｒ４は、同一又は異なって、水素原子、アルキル基、アリール基又はアラルキル基であり、Ｘ−は陰イオンである。また、Ｒ１〜Ｒ４の内の２個又は３個が結合して窒素原子と共に複素環を形成してもよい。但し、Ｒ１〜Ｒ４の少なくとも一個は、炭素数６以上のアルキル基、アリール基又はアラルキル基である。）で表される化合物である上記項１に記載の電気めっき浴用添加剤。
３．  上記項１又は２に記載の添加剤を含む電気めっき浴中において、電気めっき処理を行うことを特徴とする多孔質めっき皮膜の形成方法。
４．  上記項３の方法で形成された多孔質めっき皮膜を有する物品。
【００１１】
本発明では、めっき液に配合する添加剤として、疎水性基を有する水溶性第４級アンモニウム化合物を用いる。
【００１２】
この様な水溶性第４級アンモニウム化合物を添加した電気めっき浴を用いて、電気めっき法によってめっき皮膜を形成することにより、均質な多孔質構造を有するめっき皮膜を容易に形成できる。
【００１３】
上記したアンモニウム化合物を添加した電気めっき浴を用いることによって多孔質めっき皮膜を形成できる理由については、必ずしも明確ではないが、次のように推測される。
【００１４】
即ち、上記したアンモニウム化合物は、めっき液中では可溶性のアンモニウムカチオンを形成し、電気めっきを行う際に、陰極に引きつけられて陰極界面で還元分解される。この際に、非水溶性の疎水性置換基を遊離し、その遊離物質は、非水溶性であることから、めっき液中にはほとんど拡散せず陰極の被めっき物表面に残留する。残留した遊離物質は一種のめっきレジストのような働きをし、その部分のめっき皮膜成長を妨げる。その結果、微細な孔を多数有するめっき皮膜が形成されるものと考えられる。
【００１５】
本発明で用いる疎水性基を有する水溶性第４級アンモニウム化合物については、特に限定的ではなく、窒素原子に結合した置換基の少なくとも一個が疎水性基である水溶性を有する第４級アンモニウム化合物であればよい。水溶性を有するアンモニウム化合物の種類としては、例えば、塩化物、臭化物などのハロゲン化物、水酸化物、硫酸塩、硝酸塩等を挙げることができる。また、水溶性を有するピリジニウム塩等の複素環構造を有する化合物も第４級アンモニウム化合物に含まれる。
【００１６】
本発明で用いる疎水性基を有する水溶性第４級アンモニウム化合物の好ましい例として、下記一般式
【００１７】
【化２】
2010121194.tif 000004
【００１８】
（式中、Ｒ１〜Ｒ４は、同一又は異なって、水素原子、アルキル基、アリール基又はアラルキル基であり、Ｘ−は、陰イオンである。また、Ｒ１〜Ｒ４の内の２個又は３個が結合して窒素原子と共に複素環を形成してもよい。但し、Ｒ１〜Ｒ４の少なくとも一個は、炭素数６以上のアルキル基、アリール基又はアラルキル基である。）で表される４級アンモニウム化合物を挙げることができる。
【００１９】
上記したアンモニウム化合物において、アルキル基としては、例えば、メチル、エチル、ｎ−プロピル、イソプロピル、ｎ−ブチル、イソブチル、ｓｅｃ−ブチル、ｔｅｒｔ−ブチル、ペンチル、ヘキシル、ヘプチル、オクチル、ノニル、デシル、ウンデシル、ドデシル、トリデシル、テトラデシル、ペンタデシル、ヘキサデシル、ヘプタデシル、オクタデシルなどの直鎖又は分枝を有するＣ１〜Ｃ２０アルキル基が挙げられる。これらの内で、炭素数が６以上のアルキル基としては、ヘキシル、ヘプチル、オクチル、ノニル、デシル、ウンデシル、ドデシル、トリデシル、テトラデシル、ペンタデシル、ヘキサデシル、ヘプタデシル、オクタデシルなどを例示できる。
【００２０】
アリール基としては、例えば、フェニル基、ナフチル基等が例示される。アリール基には、フッ素原子、塩素原子等のハロゲン原子；メチル、エチル等のアルキル基；トリフルオロメチル等のハロアルキル基；メトキシ、エトキシ等のアルコキシ基；フェニル等のアリール基等の置換基が結合していてもよい。置換基の数及び置換位置については特に限定はなく、本発明の効果が妨げられない範囲であればよい。
【００２１】
アラルキル 基としては、例えば、２−フェニルエチル、ベンジル、１−フェニルエチル、３−フェニルプロピル、４−フェニルブチル等のＣ７〜Ｃ１０アラルキル 基などが挙げられる。アラルキル基にもアリール基と同様の置換基が結合していても良い。
【００２２】
Ｒ１〜Ｒ４の内の２個又は３個が結合して窒素原子と共に複素環を形成した化合物としては、ビリジニウム環を有する化合物等を例示できる。
【００２３】
Ｘ−で表される陰イオンとしては、水溶性のアンモニウム化合物を形成し得るものであればよく、例えば、Ｃｌ−、Ｂｒ−、（ＳＯ４２−）１／２、ＯＨ−、ＮＯ３−等を例示できる。
【００２４】
上記したアンモニウム化合物では、Ｒ１〜Ｒ４の内の少なくとも一個は、炭素数６以上のアルキル基、アリール基又はアラルキル基であることが必要である。
【００２５】
本発明で使用できるアンモニウム化合物の具体例としては、ドデシルトリメチルアンモニウムクロライド、テトラデシルトリメチルアンモニウムクロライド、ヘキサデシルトリメチルアンモニウムクロライド、オクタデシルトリメチルアンモニウムクロライド、フェニルトリメチルアンモニウムクロライド、ベンジルトリメチルアンモニウムクロライド、ベンジルトリエチルアンモニウムクロライド、ベンジルトリブチルアンモニウムクロライド、ジデシルジメチルアンモニウムクロライド、ドデシルジメチルベンジルアンモニウムクロライド、テトラデシルジメチルベンジルアンモニウムクロライド、オクタデシルジメチルベンジルアンモニウムクロライド、トリオクチルメチルアンモニウムクロライド、ドデシルピリジニウムクロライド、ベンジルピリジニウムクロライド、これらの臭化物、硫酸塩などを例示できる。これらのアンモニウム化合物は一種単独又は二種以上混合して用いることができる。
【００２６】
本発明では、めっき液中におけるアンモニウム化合物の添加量については、特に限定的ではないが、添加量が少ないと、充分な数の孔が得られないために良好な多孔質皮膜を形成できず、一方、添加量が多すぎる場合には、析出ムラが起こり均一な皮膜を得ることが難しくなる。このため、めっき液中におけるアンモニウム化合物の添加量は、0.001〜0.1mol/L程度とすることが好ましく、0.005〜0.05mol/L程度とすることがより好ましい。
【００２７】
本発明で使用できるめっき浴の種類については特に限定はなく、各種の公知の電気めっき浴に対して上記した第４級アンモニウム化合物を添加することによって、均質で良好な多孔質めっき皮膜を形成できる。この様なめっき液としては、ワット浴、ウッド浴、スルファミン酸ニッケル浴、有機酸ニッケル浴などの電気ニッケルめっき浴の他に、硫酸銅浴、ピロリン酸銅浴、硫酸スズ浴、メタンスルホン酸スズ浴、塩化亜鉛浴、硫酸亜鉛浴、各種合金めっき浴などを例示できる。
【００２８】
これらの電気めっき浴の組成については、特に限定はなく、公知のめっき浴と同様の組成とすればよい。
【００２９】
以下、本発明の多孔質めっき皮膜の形成方法に適用できるニッケルめっき浴の好ましい組成範囲及びめっき条件を記載する。
【００３０】
１．ワット浴の組成及びめっき条件      
硫酸ニッケル〔NiSO4・6H2O〕    200〜380g/L  
塩化ニッケル〔NiCl2・6H2O〕      30〜70g/L  
ホウ酸      〔H3BO3〕            30〜45g/L  
pH                               3.0〜4.8    
浴温                              40〜70℃   
陰極電流密度                    0.5〜10A/dm2      
２．スルファミン酸浴の組成及びめっき条件      
スルファミン酸ニッケル〔Ni(NH2SO3)2・4H2O〕 300〜500g/L  
塩化ニッケル〔NiCl2・6H2O〕                    0〜30g/L   
臭化ニッケル〔NiBr2・3H20〕                   10〜12g/L  
ホウ酸      〔H3BO3〕                         30〜50g/L  
pH                                            3.5〜4.5    
浴温                                          25〜70℃  
陰極電流密度                                  2〜40A/dm2    
３．クエン酸浴の組成及びめっき条件          
硫酸ニッケル〔NiSO4・6H2O〕     200〜380g/L  
塩化ニッケル〔NiCl2・6H2O〕       30〜70g/L 
クエン酸                           12〜21g/L 
または
クエン酸３ナトリウム               24〜30g/L
pH                                3.0〜5.0  
浴温                              40〜70℃  
陰極電流密度                      0.5〜10A/dm2 
４．ウッド浴の組成及びめっき条件    
塩化ニッケル〔NiCl2・6H2O〕      200〜300g/L 
３５％塩酸                        50〜150ml/L
浴温                               20〜30 ℃
陰極電流密度                        5〜10A/dm2 
また、銅めっき浴の一例として、ピロリン酸銅浴の好ましい組成範囲及びめっき条件を記載する。
５．ピロリン酸銅浴のめっき条件             範囲      
ピロリン酸銅〔Cu2P207・3H2O〕        70〜110g/L  
ピロリン酸カリウム〔K4P207〕          260〜400g/L
28%アンモニア水  〔NH4OH〕          2〜4ml/L  
Ｐ比（P207/Cu）                        6.5〜8.0                              
pH                                     8.2〜8.9  
浴温                                   50〜60℃  
陰極電流密度                          0.5〜5A/dm2    
【発明の効果】
【００３１】
本発明によれば、各種の電気めっき浴を用いて、電気めっき処理という比較的簡単な方法によって、特殊な設備を要することなく、均質で良好な多孔質皮膜を形成できる。
【発明を実施するための最良の形態】
【００３２】
以下、実施例を挙げて本発明を更に詳細に説明する。
【００３３】
実施例１
硫酸ニッケル280g/L、塩化ニッケル45g/L、及びホウ酸40g/Lを含有するｐＨ４．２の水溶液からなるワット浴にドデシルトリメチルアンモニウムクロライドを0.02mol/L添加して、多孔質めっき皮膜形成用のニッケルめっき浴を調製した。
【００３４】
被めっき物として、ワット浴を用いて厚さ３μｍのストライクニッケル皮膜を形成した鋼板を用い、これを上記した多孔質めっき皮膜形成用のニッケルめっき浴に浸漬して、空気撹拌下に、液温50℃、陰極電流密度5A/dm2で1分間めっきを行った。
【００３５】
めっき後の試験片には撥水性が認められ、ドデシルトリメチルアンモニウムクロライドより遊離した非水溶性物質の残留が確認できた。試験片を純水で十分に洗浄後、加熱乾燥しためっき皮膜表面の走査型電子顕微鏡写真を図１に示す。図１から明らかなように、めっき皮膜の表面に多数の微細孔が認められ、多孔質ニッケルめっき皮膜が形成されたことが確認できた。
【００３６】
実施例２
実施例１と同様のワット浴に、ドデシルジメチルベンジルアンモニウムクロライドを0.03mol/L添加して多孔質めっき皮膜形成用のニッケルめっき浴を調製した。
【００３７】
被めっき物としては、実施例１と同様の３μｍのストライクニッケル皮膜を形成した鋼板を用い、これを上記した多孔質めっき皮膜形成用のニッケルめっき浴に浸漬して、無撹拌で、液温55℃、陰極電流密度2A/dm2で3分間めっきを行った。
【００３８】
めっき後の試験片には撥水性が認められ、ドデシルジメチルベンジルアンモニウムクロライドより遊離した非水溶性物質の残留が確認できた。試験片を純水で十分に洗浄後、加熱乾燥しためっき皮膜表面の走査型電子顕微鏡写真を図２に示す。図２から明らかなように、めっき皮膜の表面に多数の微細孔が認められ、多孔質ニッケルめっき皮膜が形成されたことが確認できた。
【００３９】
実施例３
スルファミン酸ニッケル450g/L、臭化ニッケル10g/L及びホウ酸30g/Lを含むｐＨ４．０の水溶液からなるスルファミン酸ニッケル浴に、ベンジルトリエチルアンモニウムクロライドを0.05mol/L添加して多孔質めっき皮膜形成用のニッケルめっき浴を調製した。
【００４０】
被めっき物としては、実施例１と同様の３μｍのストライクニッケル皮膜を形成した鋼板を用い、これを上記した多孔質めっき皮膜形成用のニッケルめっき浴に浸漬して、空気撹拌下に、液温45℃、陰極電流密度3A/dm2で2分間めっきを行った。
【００４１】
めっき後の試験片には撥水性が認められ、ベンジルトリエチルアンモニウムクロライドより遊離した非水溶性物質の残留が確認できた。試験片を純水で十分に洗浄後、加熱乾燥しためっき皮膜表面の走査型電子顕微鏡写真を図３に示す。図３から明らかなように、めっき皮膜の表面に多数の微細孔が認められ、多孔質ニッケルめっき皮膜が形成されたことが確認できた。
【００４２】
実施例４
硫酸ニッケル280g/L、塩化ニッケル45g/L、及びクエン酸21g/Lを含むｐＨ4.0の水溶液からなるクエン酸塩浴に、ベンジルピリジニウムクロライドを0.1mol/L添加して多孔質めっき皮膜形成用のニッケルめっき浴を調製した。
【００４３】
被めっき物としては、実施例１と同様の３μｍのストライクニッケル皮膜を形成した鋼板を用い、これを上記した多孔質めっき皮膜形成用のニッケルめっき浴に浸漬して、無撹拌で、液温50℃、陰極電流密度3A/dm2で5分間めっきを行った。
【００４４】
めっき後の試験片には撥水性が認められ、ベンジルピリジニウムクロライドより遊離した非水溶性物質の残留が確認できた。試験片を純水で十分に洗浄後、加熱乾燥しためっき皮膜表面の走査型電子顕微鏡写真を図4に示す。図4から明らかなように、めっき皮膜の表面に多数の微細孔が認められ、多孔質ニッケルめっき皮膜が形成されたことが確認できた。
【００４５】
実施例５
実施例１と同様のワット浴に、フェニルトリメチルアンモニウムクロライドを0.01mol/L添加して多孔質めっき皮膜形成用のニッケルめっき浴を調製した。
【００４６】
被めっき物としては、実施例１と同様の３μｍのストライクニッケル皮膜を形成した鋼板を用い、これを上記した多孔質めっき皮膜形成用のニッケルめっき浴に浸漬して、無撹拌で、液温55℃、陰極電流密度5A/dm2で1分間めっきを行った。
【００４７】
めっき後の試験片には撥水性が認められ、フェニルトリメチルアンモニウムクロライドより遊離した非水溶性物質の残留が確認できた。試験片を純水で十分に洗浄後、加熱乾燥しためっき皮膜表面の走査型電子顕微鏡写真を図5に示す。図5から明らかなように、めっき皮膜の表面に多数の微細孔が認められ、多孔質ニッケルめっき皮膜が形成されたことが確認できた。
【００４８】
実施例６
ピロリン酸銅94g/L、ピロリン酸カリウム340g/L及び28％アンモニア水3ml/Lを含むpH8.8の水溶液からなるピロリン酸銅浴に、ポリリン酸で中和したベンジルトリメチルアンモニウムヒドロキシド0.05mol/Lを添加して多孔質めっき皮膜形成用の銅めっき浴を調整した。被めっき物としては圧延銅板を用い、これを上記した多孔質めっき皮膜形成用の銅めっき浴に浸漬して、無攪拌で、液温55℃、陰極電流密度3A/dm2で1分間めっきを行った。
【００４９】
めっき後の試験片には撥水性が認められ、ベンジルトリメチルアンモニウムヒドロキシドより遊離した非水溶性物質の残留が確認できた。試験片を純水で充分に洗浄後、加熱乾燥しためっき皮膜表面の走査型電子顕微鏡写真を図６に示す。図６から明らかなように、めっき皮膜の表面に多数の微細孔が認められ、多孔質銅めっき皮膜が形成されたことが確認できた。
【図面の簡単な説明】
【００５０】
【図１】実施例１で得られた多孔質ニッケルめっき皮膜表面の走査型電子顕微鏡写真。
【図２】実施例２で得られた多孔質ニッケルめっき皮膜表面の走査型電子顕微鏡写真。
【図３】実施例３で得られた多孔質ニッケルめっき皮膜表面の走査型電子顕微鏡写真。
【図４】実施例４で得られた多孔質ニッケルめっき皮膜表面の走査型電子顕微鏡写真。
【図５】実施例５で得られた多孔質ニッケルめっき皮膜表面の走査型電子顕微鏡写真。
【図６】実施例６で得られた多孔質ニッケルめっき皮膜表面の走査型電子顕微鏡写真。
【図１】
2010121194.tif 000006
【図２】
2010121194.tif 000007
【図３】
2010121194.tif 000008
【図４】
2010121194.tif 000009
【図５】
2010121194.tif 000010
【図６】
2010121194.tif 000011